(57)【特許請求の範囲】
【請求項１】
互いに接近して相前後して設けられている対のユニバーサルロールスタンドから成り、これらのユニバーサルロールスタンド間に据込みロールスタンドを備えているコンパクチング圧延群を備えており、このコンパクチング圧延群の前方において粗圧延群が設けられており、この粗圧延群が互いに接近して相前後して設けられている垂直ロールスタンド、水平ロールスタンドおよびユニバーサルロールスタンドとの群から成る様式の、フラット−ブロック−粗形素材、或いは最終寸法に近い粗形素材、連続鋳造設備から到来する、手前に接続されている加熱炉内に貯蔵されている、および／または圧延熱に保持されている粗形素材から、あらゆる様式の仕上がり形材を圧延する圧延設備において、
コンパクチング圧延群の前方にそれぞれ一つのローラテーブル（Ｒ２）が、そして後方にローラテーブル（Ｒ３）が設けられており、これらのローラテーブルの長さが仕上がり被圧延材の抜出し長さに相当していること、
および
粗圧延群の後方にローラテーブル（Ｒ１）が設けられており、このローラテーブルが上記ローラテーブル（Ｒ２とＲ３）に対して平行に、それらの両長さの全長にわたってコンパクチング圧延群の傍らを走っており、この場合このローラテーブル（Ｒ１）と両平行なローラテーブル（Ｒ２とＲ３）間に横方向送り装置（ＱＴ１とＱＴ２）が設けられていることを特徴とする、あらゆる様式の仕上がり形材を圧延する圧延設備。
【請求項２】
粗圧延群が垂直ロールスタンド（ＶＧ）、水平ロールスタンド（ＨＧ）とユニバーサルロールスタンド（ＵＧ）から成ることを特徴とする請求項１に記載の圧延設備。
【請求項３】
粗圧延群の水平ロールスタンド（ＨＧ）が二つ或いは多数の選択カリバー（Ｋ１，Ｋ２）を備えていることを特徴とする請求項１或いは２に記載の圧延設備。
【請求項４】
コンパクチング圧延群の据込みロールスタンド（ＨＺ）が二つの或いは多数の選択カリバーを備えていることを特徴とする請求項１から３までのいずれか一つに記載の圧延設備。
【請求項５】
粗圧延群のユニバーサルロールスタンド（ＵＧ）のロール組が円筒形の垂直ロールを備えているＨ−カリバーを有していることを特徴とする請求項１から３までのいずれか一つに記載の圧延設備。
【請求項６】
粗圧延群のユニバーサルロールスタンド（ＵＧ）のロール組および／またはコンパクチング圧延群のユニバーサルロールスタンド（ＵＧ１）のロール組がＶ形の垂直ロールを備えているＸ−カリバーを有していることを特徴とする請求項１から３までのいずれか一つに記載の圧延設備。
【請求項７】
粗圧延群のユニバーサルロールスタンド（ＵＧ）の水平ロールスタンド（ＨＧ）のロール組および／またはコンパクチング圧延群のロールスタンド（ＵＧ１，ＨＺとＵＧ２）のロール組が製造されるべき形材の使用目的に相応してカリバーが形成されている上方ロールおよび下方ロールから成るロール組を備えていことを特徴とする請求項１から３までのいずれか一つに記載の圧延設備。
【請求項８】
コンパクチング圧延群のユニバーサルロールスタンド（ＵＧ１とＵＧ２）が二つの垂直方向のロールと二つの水平方向ロールから成るロール組を備えていることを特徴とする請求項１から７までのいずれか一つに記載の圧延設備。
【請求項９】
粗圧延群のユニバーサルロールスタンド（ＵＧ）の水平ロールが１２００から１８００ｍｍの範囲の直径を有していることを特徴とする請求項１から７までのいずれか一つに記載の圧延設備。
【請求項１０】
コンパクチング圧延群のユニバーサルロールスタンド（ＵＧ１とＵＧ２）の水平ロールが８００から１３００ｍｍの範囲の直径を有していることを特徴とする請求項１から９までのいずれか一つに記載の圧延設備。
【請求項１１】
互いに接近して相前後して設けられている対のユニバーサルロールスタンドから成り、これらのユニバーサルロールスタンド間に据込みロールスタンドを備えているコンパクチング圧延群を備えており、このコンパクチング圧延群の前方に粗圧延群が設けられており、この粗圧延群が互いに接近して相前後して設けられている垂直ロールスタンド、水平ロールスタンドおよびユニバーサルロールスタンドとの群から成る様式の、フラット−ブロック−粗形素材、或いは最終寸法に近い粗形素材、連続鋳造設備から到来する、手前に接続されている加熱炉内に貯蔵されているおよび／または圧延熱に保持されている粗形素材から、あらゆる様式の仕上がり形材を圧延する圧延設備を運転するための方法において、重量のある仕上がり形材を粗圧延群内で仕上げ成形し、コンパクチング圧延群の傍らを案内されているローラテーブル（Ｒ１）とこのローラテーブルとコンパクチング圧延群の後方に設けられているローラテーブル（Ｒ３）間に設けられている横方向送り装置（ＱＴ２）を経てこのローラテーブル（Ｒ３）上に移動させ、次いで後方に設けられている次位加工装置に供給することを特徴とする、あらゆる様式の仕上がり形材を圧延する圧延設備を運転するための方法。
【請求項１２】
コンパクチング圧延群の出側のユニバーサルロールスタンド（ＵＧ２）を、その傍らを案内されているローラテーブル（Ｒ１）とコンパクチング圧延群の後方に設けられているローラテーブル（Ｒ３）へと案内されている横方向送り装置（ＱＴ２）を使用してこのローラテーブル（Ｒ３）を経て移動させることを特徴とする請求項１１に記載の運転方法。
【請求項１３】
粗圧延群が平滑なロールを備えている垂直ロールスタンド（ＶＧ）、輪郭が形成されているロールを備えている水平ロールスタンド（ＨＧ）およびユニバーサルロールスタンド（ＵＧ）を有している場合、長方形の断面の或いはＩ形断面の粗形素材（ＶＧ）と粗形素材（ＶＰ）を垂直ロールスタンド（ＶＧ）内で据込み、次いで水平ロールスタンド（ＨＧ）内で粗成形し、引続きこの粗圧延群のユニバーサルロールスタンド（ＵＧ）内で輪郭成形し、場合によっては減面し、引続きこの群のユニバーサルロールスタンド（ＵＧ１）、水平ロールスタンド（ＨＧ）とユニバーサルロールスタンド（ＵＧ２）内でタンデム群として作業が行なわれるコンパクチング圧延群内で連続したパス順序および可逆パス順序で仕上げ圧延することを特徴とする請求項１１或いは１２に記載の運転方法。
【請求項１４】
粗圧延群内での粗形素材（ＶＰ）の据込みと輪郭成形を、この群のロールスタンドの連続したパス順序で経て行うことを特徴とする請求項１３に記載の運転方法。
【請求項１５】
粗圧延群内での粗形素材（ＶＰ）の輪郭成形と減面を、この群の水平ロールスタンド（ＨＧ）とユニバーサルロールスタンド（ＵＧ）内で、相前後しているパス順序および可逆パス順序で行うことを特徴とする請求項１３に記載の運転方法。
【請求項１６】
圧延を粗圧延群の水平ロールスタンド（ＨＧ）内で二つの選択カリバー（Ｋ１，Ｋ２）を組合わせ行うことを特徴とする請求項１５に記載の運転方法。
【請求項１７】
粗圧延群内の相前後しているカリバーおよび可逆カリバーにあって、更なる減面を再び粗圧延群の水平ロールスタンド（ＨＧ）の第一の選択カリバー（Ｋ１）内で、続いて水平ロールスタンド（ＨＧ）の選択カリバー（Ｋ２）の従属カリバー内で、そして引続く減面を入側のユニバーサルロールスタンド（ＵＧ１）と据込みロールスタンド（ＨＺ）内のパス順序および可逆パス順序で、最終据込み成形をコンパクチング圧延群の入側のユニバーサルロールスタンド（ＵＧ１）、据込みロールスタンド（ＨＺ）と出側ユニバーサルロールスタンド（ＵＧ２）で行うことを特徴とする請求項１１から１６までのいずれか一つに記載の運転方法。
【請求項１８】
Ｉ断面の粗形素材（ＶＰ）を粗圧延群内の垂直ロールスタンド（ＶＧ）内で据込み、引続きそれぞれ水平ロールスタンド（ＨＧ）内のパス順序と可逆パス順序でフランジ据込みを行い、ユニバーサルロールスタンド（ＵＧ）内で輪郭成形し、減面し、ユニバーサルロールスタンド（ＵＧ）の最後のカリバーを経て仕上げ圧延することを特徴とする請求項１１から１７までのいずれか一つに記載の運転方法。
【発明の詳細な説明】
【０００１】
【発明が属する技術分野】
本発明は、互いに接近して相前後して設けられている対のユニバーサルロールスタンドから成り、これらのユニバーサルロールスタンド間に据込みロールスタンドを備えているコンパクチング圧延群を備えており、このコンパクチング圧延群の前方において粗圧延群が設けられており、この粗圧延群が互いに接近して相前後して設けられている垂直ロールスタンド、水平ロールスタンドおよびユニバーサルロールスタンドとの群から成る様式の、フラット−ブロック−粗形素材、或いは最終寸法に近い粗形素材、連続鋳造設備から到来する、手前に接続されている加熱炉内に貯蔵されている、および／または圧延熱に保持されている粗形素材から、あらゆる様式の仕上がり形材を圧延する圧延設備に関する。
【０００２】
更に、本発明は、互いに接近して相前後して設けられている対のユニバーサルロールスタンドから成り、これらのユニバーサルロールスタンド間に据込みロールスタンドを備えているコンパクチング圧延群を備えており、このコンパクチング圧延群の前方に粗圧延群が設けられており、この粗圧延群が互いに接近して相前後して設けられている垂直ロールスタンド、水平ロールスタンドおよびユニバーサルロールスタンドとの群から成る様式の、フラット−ブロック−粗形素材、或いは最終寸法に近い粗形素材、連続鋳造設備から到来する、手前に接続されている加熱炉内に貯蔵されているおよび／または圧延熱に保持されている粗形素材から、あらゆる様式の仕上がり形材を圧延する圧延設備を運転するための方法にも関する。
【０００３】
【従来の技術】
この様式の公知の圧延設備は、その構造様式と使用されるロールスタンドおよび付帯装置の点で全く一定した様式の圧延製品、例えば重量のある形材および／または重量のある桁或いは軽量の桁および中程度の重量の桁、そして場合によっては適切な形材を圧延するのに適しているに過ぎない。目的としている市場の広さのいかんによっては、このような圧延設備の稼働には、しばしばその能力を十分に発揮すると言うことに関して難点が生じ、従ってこの圧延設備の稼働に経済性が問われる。
【０００４】
【発明が解決しようとする課題】
本発明の根底をなす課題は、冒頭に記載した様式の構造の圧延設備を、この圧延設備によりあらゆる様式の市販の形材、しかも通常の形材も、限られた枠内での特殊形材も製造することができるように、例えば軽量の桁も、重量のある桁、矢板用形材或いは釣上げマスト用形材およびあらゆる形材を少量のロットででも製造することができるように改良することである。
【０００５】
【課題を解決するための手段】
上記の課題は、本発明により、上記圧延設備において、コンパクチング圧延群の前方にそれぞれ一つのローラテーブルが、そして後方にローラテーブルが設けられており、これらのローラテーブルの長さが仕上がり被圧延材の抜出し長さに相当していること、および粗圧延群の後方にローラテーブルが設けられており、このローラテーブルが上記ローラテーブルに対して平行に、それらの両長さの全長にわたってコンパクチング圧延群の傍らを走っており、この場合このローラテーブルと両平行なローラテーブル間に横方向送り装置が設けられていることによって解決される。
【０００６】
粗圧延群は、本発明による他の構成により、二重式垂直ロールスタンド、二重式水平ロールスタンドとユニバーサルロールスタンドとから成る。
この場合、粗圧延群の水平ロールスタンドおよび場合によってはコンパクチング圧延群の水平ロールスタンドは二つの或いは多数の選択カリバーを備えている。
【０００７】
Ｈ形材の粗圧延ロールと仕上げ圧延ロールに関して、粗圧延群のユニバーサルロールスタンドのロール組が円筒形の垂直ロールを備えているＨ−カリバーを有している。
肉薄の桁を圧延するため、Ｖ形の垂直ロールを備えているＸ−カリバーが使用され、特別な形材を圧延するためには水平ロールと垂直ロールの相応するカリバーが使用される。
【０００８】
コンパクチング圧延群のユニバーサルロールスタンドは、一定の形材を圧延するために二重式ロール組をも備えている。
粗圧延群のユニバーサルロールスタンドの水平ロールは１２００から１８００ｍｍの範囲の直径を有しており、コンパクチング圧延群のユニバーサルロールスタンドの水平ロールは８００から１３００ｍｍの範囲の直径を有している。
【０００９】
上記の課題は、本発明による上記圧延設備の運転方法にあって、重量のある仕上がり形材を粗圧延群内で仕上げ成形し、コンパクチング圧延群の傍らを案内されているローラテーブルとこのローラテーブルとコンパクチング圧延群の後方に設けられているローラテーブル間に設けられている横方向送り装置を経てこのローラテーブル上に移動させ、次いで後方に設けられている次位加工装置に供給することによって解決される。
【００１０】
コンパクチング圧延群の出側のユニバーサルロールスタンドは、公知のように、その傍らを案内されているローラテーブルとコンパクチング圧延群の後方に設けられているローラテーブルに移動する横方向送り装置を使用してこのローラテーブル経て移動される。
粗圧延群が平滑なロールを備えている二重式粗ロールスタンド、輪郭を形成されたロールを備えている二重式水平ロールスタンドおよびユニバーサルロールスタンドを有している場合、長方形の断面の或いはＩ形断面の粗形素材は、二重式粗ロールスタンド内で据込み圧延され、続いて二重式水平ロールスタンド内で粗成形され、引続き粗圧延群のユニバーサルロールスタンド内で輪郭成形され、場合によっては減面され、引続きコンパクチング圧延群内で、この群のユニバーサルロールスタンドと水平ロールスタンドの連続した（durchgehende) なパス順序、そして場合によっては可逆パス順序を経て仕上げ圧延される。
【００１１】
この場合、粗圧延群内での粗形素材の据込みと輪郭成形は、この群のロールスタンドの連続したパス順序を経て行はれるか、或いはこの群の粗形素材の輪郭成形と減面を、二重式水平ロールスタンドとユニバーサルロールスタンドの相前後しているパス順序および可逆パス順序を経て行われる。
コンパクチング圧延群のロールスタンドが輪郭が成形された水平ロール対を有している場合、Ｉ形断面の粗形素材からの肉薄形材の仕上げ成形は、コンパクチング圧延群内で、この群のロールスタンドの連続したパス順序で行なわれる。
【００１２】
粗圧延群の水平ロールスタンドが選択カリバー、特に二つの選択カリバーを備えている場合、粗圧延群内の相前後しているカリバーと可逆カリバーにおいて、更なる減面が再び第一の選択カリバーと、このカリバーに続く次の選択カリバー内のカリバー内で、これに引続いて入側のユニバーサルロールスタンドと据込みロールスタンド内のカリバーと可逆カリバー内で更なる減面が、コンパクチング圧延群の入側のユニバーサルロールスタンド、据込みロールスタンドおよび出側のユニバーサルロールスタンドの最終パス順序を経て行なわれる。
【００１３】
Ｈ断面を有する重量のある仕上がり被圧延材を圧延する場合、この形材は粗圧延群の垂直ロールスタンド内で据込まれ、引続きパス順序と可逆パス順序で、自体圧延技術において公知の方法により、それぞれ水平ロールスタンド内でフランジ据込みし、ユニバーサルロールスタンド内で輪郭成形し、減面し、次いで最後のカリバー内でこの群のユニバーサルロールスタンドにより仕上げ圧延される。
【００１４】
以下に添付した図面に図示した発明の実施の形態に付き本発明を詳細に説明する。
【００１５】
【発明の実施の形態】
図１から認められるように、この圧延設備は加熱炉ＷＯの後方に設けられており、この加熱炉から供給ローラテーブルＺＲが粗圧延群に通じている。この粗圧延群は垂直ロールスタンドＶＧ、水平ロールスタンドＨＧおよびユニバーサルロールスタンドＵＧとから成る。この粗圧延群の後方にはローラテーブルＲ１が設けられており、このローラテーブルは、タンデム−コンパクチング圧延群の手前に設けられている他のローラテーブルＲ２に対して平行に走っている。このタンデム−コンパクチング圧延群は二つのユニバーサルロールスタンドＵＧ１とＵＧ２およびこれらのユニバーサルロールスタンドの間に設けられている水平中間ロールスタンドＺＨとから成る。このタンデム−コンパクチング圧延群の後方にはローラテーブルＲ３が設けられている。ローラテーブルＲ２に対して平行に走っているローラテーブルＲ１はこのタンデム−コンパクチング圧延群の傍らを通り、引続いてローラテーブルＲ３に対して平行に走っている。ローラテーブルＲ１とそれぞれローラテーブルＲ２とＲ３の間には横方向送り装置ＱＴ１とＱＴ２が設けられている。
【００１６】
この圧延設備により、図示していない連続鋳造設備内でフラットな断面、ブロック断面或いは最終寸法に近い断面を有する粗形素材として鋳造され、場合によっては加熱炉ＷＯ内で圧延温度に加熱されて、その温度に保持されている粗形素材が、同様に図示していない脱スケール装置、例えば高圧水噴射装置により脱スケール処理され、次いで供給ローラテーブルＺＲを介して粗圧延群に供給され、この粗圧延群内で粗形素材の断面の圧延される仕上がり輪郭への最初の適合が行なわれる。引続き、予め成形され、場合によっては既に減面されている粗形素材は、粗圧延群を去った後横方向送り装置ＱＴ１によりローラテーブルＲ２上に移動され、このローラテーブルによりタンデム−コンパクチング圧延群に供給され、このタンデム−コンパクチング圧延群内で仕上げ圧延される。この圧延工程は図２にグラフとして参照符号１で示した。重量のある形材、例えばＨ形材は既に粗圧延群内で仕上げ圧延され、次いでローラテーブルＲ１を介してタンデム−コンパクチング圧延群の傍らを移送されて、横方向送り装置ＱＴ２によりこの圧延群のローラテーブルＲ３上に移動され、このローラテーブルにより次位の処理装置、例えば調質装置に供給される。この圧延工程は図２にグラフとして参照符号２で示した。
【００１７】
粗圧延群の水平ロールスタンドＨＧは多数の、少なくとも二つの選択カリバーのためのカリバーを移動させるための装置を備えている。タンデム−コンパクチング圧延群はＸＨ−圧延のためのロールスタンドを備えている。両ユニバーサルロールスタンドＵＧ１とＵＧ２は選択的に二重式ロール組を備えており、水平ロールスタンドＨＺは選択カリバーを備えていてもよい。コンパクチング圧延群の傍を案内されているローラテーブルＲ１の配設は、横方向送り装置ＱＴ２とローラテーブルＲ３と共にタンデム−コンパクチング圧延群が出側から始動し、従って可逆作業の際偶数の通過を可能し、これだけで粗形素材の仕上げ成形が達せられるような場合、例えば三つのカリバーの代わりに二つのカリバーにより、或いは五つのカリバーの代わりに四つのカリバーより作業を行うことを可能にする。
【００１８】
図２に示した圧延工程１は、例えば重量のある粗形素材を圧延している間この作業には利用されないタンデム−コンパクチング圧延群を組替えし、待機させておくことが可能である。
図３によるパススケジュールにあっては、粗圧延群は平滑なロールを有する二重式垂直ロールスタンド、成形されたロールを有している二重式水平ロールスタンドとユニバーサルロールスタンドＵＧとを備えている。図面から明らかなように、粗形素材ＶＰは垂直ロールスタンドＶＧ内のカリバー１内で据込まれ、水平ロールスタンドＨＧ内の第二のカリバー２内で予備成形され、ユニバーサルロールスタンドＵＧ内の第三のカリバー３内で既に形材に圧延される。引続いて、タンデム−コンパクチング圧延群内のユニバーサルロールスタンドＵＧ１、水平ロールスタンドＨＺおよびユニバーサルロールスタンドＵＧ２の連続したパス順序４，５，６を経て、並びに引続いて反対方向で上記のロールスタンドの同様に連続したパス可逆パス順序Ｒ７，Ｒ８，Ｒ９を経て、そして工程開始方向でこのロールスタンドの新たな連続したパス順序１０，１１，１２を経て輪郭成形と輪郭減面の下に仕上げ圧延される。この場合、Ｘ−Ｈ−圧延方法が適用される。即ち、Ｉ形材のフランジはユニバーサルロールスタンドＵＧ１を通過する度毎にＶ字形の垂直ロールスタンドＶＷにより外方へと僅かに曲げられ、引続き水平ロールスタンドＨＺとユニバーサルロールスタンドＵＧ２の円筒形の垂直ロールスタンドＺＷにおける輪郭成形圧延を経て再び元のＨ位置に移動される。
【００１９】
図４によるパススケジュールは、この発明の実施の形態にあって出発輪郭として最終寸法に近いＩ断面を有する粗形素材ＶＰが使用されており、極めて肉薄の仕上がり被圧延材を成形するために、タンデム−コンパクチング圧延群においてユニバーサルロールスタンドＵＧ１、水平ロールスタンドＨＺとユニバーサルロールスタンドＵＧ２のパス順序もしくは可逆パス順序４，５，６，Ｒ７，Ｒ８，Ｒ９，１０，１１，１２，Ｒ１３，Ｒ１４，，Ｒ１５，１６，１７，１８を経て、全部で五つの通過が必要である点では大体図３によるパススケジュールに相応している。
【００２０】
図５によるパススケジュールにあっては、粗形素材ＶＰは垂直ロールスタンドＶＧの据込みカリバー１を経た後、既に粗圧延群において水平ロールスタンドＨＧとユニバーサルロールスタンドＵＧの、それぞれ相前後しているカリバー２，３と可逆カリバーＲ４，Ｒ５と、あらためてカリバー６，７とを経て予めＸ形に輪郭成形され、次いで図３によるパススケジュールに相応するタンデム−コンパクチング圧延群ＵＧ１，ＨＺ，ＵＧ３内で三つの連続したパス順序と可逆パス順序８，９，１０，Ｒ１１，Ｒ１２，Ｒ１３，１４，１５，１６で仕上げ圧延される。
【００２１】
図６によるパススケジュールにあっては、粗圧延群は水平ロールスタンドＨＧを備えており、成形ロール組は二つの選択カリバーＫ１とＫ２を備えており、粗圧延群のユニバーサルロールスタンドＵＧのロールも、またタンデム−コンパクチング圧延群ＵＧ１，ＨＺとＵＧ２のロールも鋼矢板を造ることを可能にするようなロールを備えている。
【００２２】
粗形素材ＶＰ−ここではＩ断面を有する粗形素材−は、垂直ロールスタンドＶＧ内の据込みカリバー１を経た後、それぞれ水平ロールスタンドＨＧの第一の選択カリバーＫ１とユニバーサルロールスタンドＵＧの二つの相前後しているパス順序と可逆パス順序２，３，Ｒ４，Ｒ５，６，７，Ｒ８，Ｒ９，１０，１１，Ｒ１２，Ｒ１３を経て十分に輪郭成形され、次いで水平ロールスタンドＨＧの第二の選択カリバーＫ２の単独のカリバー１４を経た後、次のタンデム−コンパクチング圧延群のユニバーサルロールスタンドＵＧ１、水平ロールスタンドＨＺとユニバーサルロールスタンドＵＧ２の、ただ一つの連続したパス順序１５，１６，１７を経て仕上げ圧延される。
【００２３】
図７によるパススケジュールにあっては、粗圧延群の水平ロールスタンドＨＧは選択カリバーＫ１とＫ２を備えている。この粗圧延群の垂直ロールスタンドＶＧ内で、粗形素材は第一のカリバー１内で据込まれ、引続き水平ロールスタンドＨＧの選択カリバーＫ１内で、そしてと水平ロールスタンドＨＧとユニバーサルロールスタンドＵＧによりカリバー２と３並びに次の可逆カリバーＲ４とＲ５内で、そしてこのロールスタンドの同じ選択カリバーＫ１内で、そしてこのロールスタンドの他方の選択カリバーＫ２により引続き次のカリバー６内で輪郭成形され、減面される。このようにして得られた形材は、次いでコンパクチング圧延群の入側のユニバーサルロールスタンドＵＧ１内でパス順序と可逆パス順序７，Ｒ８，９で更に減面され、次いで次の据込みロールスタンドＨＺのカリバー１０を経てフランジ減面され、次にあらためて入側のユニバーサルロールスタンドＵＧ１に関して、続く可逆カリバーＲ１１と従属カリバー１２並びに据込みロールスタンドＨＺと出側のユニバーサルロールスタンドＵＧ２の相前後しているカリバー１３と１４を経て仕上げ圧延される。
【００２４】
図８によるパススケジュールにあっては、重量のある粗形素材ＶＰ−ここではＩ断面を有する粗形素材−は、粗圧延群の垂直ロールスタンドＶＧ内で第一のカリバー１で据込み圧延され、引続き水平ロールスタンドＨＧと水平ロールスタンドＨＧ内のユニバーサルロールスタンドＵＧのパス順序と可逆パス順序２，３；Ｒ４，Ｒ５；６，７；Ｒ８，Ｒ９；１０，１１；Ｒ１２，Ｒ１３；１４，１５；Ｒ１６，Ｒ１７を経て強制的に据込み圧延され、ユニバーサルロールスタンドＵＧ内で輪郭成形され、減面されし、次いでユニバーサルロールスタンドＵＧの最後のカリバー１８を経て仕上げ圧延され、次いで−既に説明したように−コンパクチング圧延群の傍らを走っているローラテーブルＲ１（図１）とこのローラテーブルとコンパクチング圧延群の後方のローラテーブルＲ３との間に設けられている横方向送り装置ＱＴ２によりローラテーブルＲ３上に移動される。
【００２５】
【発明の効果】
本発明による圧延設備によりあらゆる様式の市販の形材、しかも通常の形材も、限られた枠内での特殊形材も製造することができ、例えば軽量の桁も、重量のある桁も、矢板用形材或いは釣上げマスト用形材およびあらゆる形材も少量のロットででも製造することが可能となる。
【図面の簡単な説明】
【図１】  圧延設備の概略平面図である。
【図２】  通板経路を示す平面図である。
【図３】  図１に示した圧延設備のためのパススケジュールの図である。
【図４】  図１に示した圧延設備のためのパススケジュールの図である。
【図５】  図１に示した圧延設備のためのパススケジュールの図である。
【図６】  図１に示した圧延設備のためのパススケジュールの図である。
【図７】  図１に示した圧延設備のためのパススケジュールの図である。
【図８】  図１に示した圧延設備のためのパススケジュールの図である。
【符号の説明】
１，２，３，４，５，６，８，９，１０，１４，１５，１６  ロール
Ｒ８，Ｒ９，Ｒ１１，Ｒ１２，Ｒ１３，Ｒ１６，Ｒ１７  可逆カリバー
ＷＯ  加熱炉
ＶＧ  垂直ロールスタンド
ＨＧ  水平ロールスタンド
ＵＧ  ユニバーサルロールスタンド
Ｒ１，Ｒ２，Ｒ３  ロラーブル
ＱＴ１，ＱＴ２  横方向送り装置
ＵＧ１  入側のユニバーサルロールスタンド
ＵＧ２  出側のユニバーサルロールスタンド
ＺＲ  供給ローラテーブル
Ｋ１  第一の選択カリバー
Ｋ２  第二の選択カリバー
ＶＰ  粗形素材
【図１】
0004447681.tif 000002
【図２】
0004447681.tif 000003
【図３】
0004447681.tif 000004
【図４】
0004447681.tif 000005
【図５】
0004447681.tif 000006
【図６】
0004447681.tif 000007
【図７】
0004447681.tif 000008
【図８】
0004447681.tif 000009